(57)【要約】      （修正有）【課題】モバイル端末とケースとの間に挟持されるための印刷を施した印刷シートを内部に備えた印刷シート包含体を提供する。【解決手段】透明のケースとモバイル端末の間に挟持される印刷シート１６印刷シートの周囲に備えられる印刷外側部１８からなる印刷シート基部１４を有する。印刷シート１６を内部に含んだ状態の印刷外側部１８と印刷シート１６に同一の印刷を行う。印刷シート１６を台紙１２に圧接によって仮接着すると共に、印刷シート１６の周囲に備えられる印刷外側部１８を台紙１２に取り付ける。【選択図】図１
0003174044.tif 000002
【実用新案登録請求の範囲】
【請求項１】
透明のケースとモバイル端末の間に挟持される印刷シートとその印刷シートと切り離されたものであってその印刷シートの周囲に備えられる印刷外側部とから成る印刷シート基部を有し、前記印刷シートを内部に含んだ状態の前記印刷外側部と前記印刷シートに印刷を施し、前記印刷シートと台紙とを圧接によって仮接着すると共に前記印刷外側部を前記台紙に取り付け、外力を前記印刷シートに加えることで前記台紙から前記印刷シート容易に剥離するようにしたことを特徴とする印刷シート包含体。
【請求項２】
前記台紙における前記印刷シートの接合箇所である露出領域にメッセージや広告を印刷し、前記露出領域を前記印刷シートで覆い、前記印刷シートを前記台紙から剥離した際に、前記露出領域のメッセージや広告が外部に露出するようにしたことを特徴とすることを特徴とする請求項１記載印刷シート包含体。
【請求項３】
前記印刷外側部の外周に印刷時の印刷不可能な領域である余白を形成したことを特徴とする請求項１または２記載の記載印刷シート包含体。
【請求項４】
前記印刷外側部と前記印刷シートに施す印刷が、前記印刷シート基部の表側だけでなく裏側にも形成し、表側と裏側の印刷を異なるものとしたことを特徴とする請求項１乃至３のうちのいずれか１項記載の記載印刷シート包含体。
【請求項５】
前記印刷外側部と前記印刷シートに施す印刷を、前記印刷シート基部の表側だけでなく裏側にも形成した場合に、前記印刷外側部の表側に、裏側の印刷を縮小した裏面縮小表示部を設けることを特徴とする請求項１乃至４のうちのいずれか１記載の記載印刷シート包含体。
【考案の詳細な説明】
【技術分野】
【０００１】
本考案は、モバイル端末とそれに取り付けるケースとの間に装着するための印刷シートを備えた印刷シート包含体に関するものである。
【背景技術】
【０００２】
従来から、アイフォンや携帯電話やタブレット端末等のモバイル端末が使用されており、そのモバイル端末に、好きな図形や模様や文字等を付けたいという希望が多かった。特許文献１に示すように、図形や模様や文字等を片面に印刷し、反対側の片面に粘着剤を取付けた保護フィルムが知られており、この保護フィルムを粘着剤によってモバイル端末に接着させることで、従来からモバイル端末に好きな図形や模様や文字等を付けていた。
【０００３】
好きな図形や模様や文字等の印刷をモバイル端末に取付けるその他の方法として、印刷を施したケースをモバイル端末に嵌合することが知られている。このケースを図５並びに図６に斜視図で示す。ケース３０は、長方形の４つの角を円弧状とした平面部３２と、その平面部３２の長辺の２箇所の縁から平面部３２に対して直角方向に伸びる２個の保持腕３４ａ，３４ｂとを一体に形成したものである。２個の保持腕３４ａ，３４ｂの長手方向の両端は、平面部３２の短辺側の外縁の方に少しだけ湾曲して突出した形状となっている。一方の保持腕３４ａには、充電用端子が挿通できるための凹み部３６が形成されている。平面部３２には、カメラ用穴３８が形成されている。
【０００４】
ケース３０の２個の保持腕３４ａ，３４ｂの間にモバイル端末４０を挟持し、モバイル端末４０の裏面４２をケース３０の平面部３２の裏面（図５から見える平面部３２の面）に接触させる。これによって、モバイル端末４０とケース３０とが離れることなく取付けられる。ケース３０には、図６の方向から見た平面部３２の表面に模様や図柄を印刷したものがある。また、モバイル端末４０それ自体の裏面４２に印刷を施したシールを貼った場合には、ケース３０は透明のものを使用する。
【先行技術文献】
【特許文献】
【０００５】
【特許文献１】特開２００１−５６６４１号公報
【考案の概要】
【考案が解決しようとする課題】
【０００６】
印刷したケース３０の図形や模様や文字等に飽きた場合には、従来では、ケース３０そのものを交換しなければならない。例えば季節に合った模様や図柄を使用したいと思った場合には、季節に応じた多数のケース３０を用意しておかなければならず、多数のケース３０のコストがかかるという欠点があった。
【０００７】
本考案は、モバイル端末とケースとの間に挟持されるための印刷を施した印刷シートを内部に備えた印刷シート包含体を提供することを目的とする。
【課題を解決するための手段】
【０００８】
本考案に係る印刷シート包含体は、透明のケースとモバイル端末の間に挟持される印刷シートとその印刷シートと切り離されたものであってその印刷シートの周囲に備えられる印刷外側部とから成る印刷シート基部を有し、前記印刷シートを内部に含んだ状態の前記印刷外側部と前記印刷シートに印刷を施し、前記印刷シートと台紙とを圧接によって仮接着すると共に前記印刷外側部を前記台紙に取り付け、外力を前記印刷シートに加えることで前記台紙から前記印刷シート容易に剥離するようにしたことを特徴とするものである。本発明は、前記台紙における前記印刷シートの接合箇所である露出領域にメッセージや広告を印刷し、前記露出領域を前記印刷シートで覆い、前記印刷シートを前記台紙から剥離した際に、前記露出領域のメッセージや広告が外部に露出するようにしたことを特徴とすることを特徴とするものである。本発明は、前記印刷外側部の外周に印刷時の印刷不可能な領域である余白を形成したことを特徴とするものである。本発明は、前記印刷外側部と前記印刷シートに施す印刷が、前記印刷シート基部の表側だけでなく裏側にも形成し、表側と裏側の印刷を異なるものとしたことを特徴とするものである。本発明は、前記印刷外側部と前記印刷シートに施す印刷を、前記印刷シート基部の表側だけでなく裏側にも形成した場合に、前記印刷外側部の表側に、裏側の印刷を縮小した裏面縮小表示部を設けることを特徴とするものである。
【考案の効果】
【０００９】
本考案の印刷シート包含体において、ケースとモバイル端末との間に着脱自在に取付けられる印刷シートは、台紙に圧着によって仮接着されており、接着剤を使用していない。この結果、透明の印刷ケースの平面部に印刷シートを接触させて、ケースとモバイル端末とで挟持させるので、粘着剤を用いた印刷シートを使用する場合と比べて、印刷シートが何かとくっついたり、皺がよったりすることは無く、透明のケースの平面部に印刷シートを接合させることが容易にできる。本考案の印刷シート包含体はケースと比べてコストが安価であるため、印刷シートの交換によってモバイル端末に多数の図形や模様や文字等を取付けた状態とすることができ、コストでモバイル端末への多数の図形や模様や文字等の交換を安価に行なうことができる。また、印刷シートは、台紙に印刷シートを圧着によって仮接着されているので、印刷シートは、印刷シート包含体から容易に剥離することができる。
【００１０】
台紙における印刷シートの接合箇所である露出領域にメッセージや広告を印刷しておくことで、印刷シートをめくった際に、メッセージや広告が目に入るので、メッセージや広告の効果がある。印刷シートとその外側の印刷外側部に印刷を施し、印刷外側部の外周に印刷時の印刷不可能な領域である余白を形成することで、印刷シートに余白を設けなくて済み、印刷シートの全域に印刷を施すことができる。また、印刷を表側だけでなく裏側にも形成することで、印刷シートへの印刷の数を増加することができる。印刷シートに施す印刷を表側だけでなく裏側にも形成した場合に、印刷外側部の表側に、裏側の印刷を縮小して表示する。これによって、裏側の印刷の内容を表側から見ることができる。
【図面の簡単な説明】
【００１１】
【図１】本考案に係る印刷シート包含体の構成部材の分解正面図である。
【図２】本考案に係る印刷シート包含体の構成部材を互いに取付けた全体の正面図である。
【図３】本考案に係る印刷シート包含体から印刷シートを取り出した状態の正面図である。
【図４】図３の印刷シートをケースとモバイル端末との間に挟む状態を示す斜視図である。
【図５】モバイル端末と従来既知のケースとを示す斜視図である。
【図６】モバイル端末に従来既知のケースを嵌め込む状態を示す斜視図である。
【考案を実施するための形態】
【００１２】
次に、本考案を図面に基づいて説明する。図１は本考案に係る印刷シート包含体の分解正面図、図２は印刷シート包含体の構成部材を互いに取付けた全体の正面図、図３は本考案に係る印刷シート包含体から印刷シートを取り外した状態の正面図である。図１に示すように、印刷シート包含体１０は、台紙１２と、印刷を施すことが可能な紙または合成樹脂製の印刷シート基部１４とから成る。印刷シート基部１４は、印刷シート１６と、その印刷シート１６と切り離されたものであってその印刷シート１６の周囲に備えられる印刷外側部１８とから成る。印刷シート１６は、台紙１２や印刷外側部１８から容易に分離できるように設定されている。印刷シート１６には、ケース３０のカメラ用穴３８と合致する位置にカメラ用穴１９が形成されている。
【００１３】
印刷シート基部１４（印刷シート１６と印刷外側部１８とから成るもの）のうち印刷シート１６は台紙１２に対し、圧着によって仮接着されるものとする。台紙１２における印刷シート１６に接合する面の素材と、印刷シート１６における台紙１２に接合する面の素材とは、台紙１２と印刷シート１６とが圧着によって仮接着することができ、しかも人力の小さい力で印刷シート１６を台紙１２から容易に剥離できるものとする。即ち、印刷シート１６と台紙１２とは互いに接合する面に接着剤を用いないものとする。印刷外側部１８は印刷シート１６と、同じ素材を用いるのが望ましく、印刷外側部１８における台紙１２との圧着力は、印刷シート１６の台紙１２に対する圧着力よりも強いものとし、印刷シート１６が台紙１２から容易に剥離しても、印刷外側部１８が台紙１２から容易に剥離しないようにする。また、印刷外側部１８の台紙１２への接合箇所は、圧着力を強くする他に、接着剤を用いるものであっても良い。
【００１４】
図１に示すように、印刷シート基部１４は、台紙１２に接合する面と反対側の面に、図形や模様や文字等の印刷を施した印刷面２０を形成する。この印刷面２０は、印刷シート１６側の印刷面２０ａと印刷外側部１８側の印刷面２０ｂとで一つ（単一)の印刷の図形や模様や文字等を形成する。印刷外側部１８において、印刷面２０ｂの外側は、印刷時の印刷不可能な領域である余白２２となっており、印刷シート１６には余白を設けないようにしている。
【００１５】
台紙１２には、印刷シート１６がめくった際に、外部に露出する露出領域２４（図１で１点鎖線で示す）を有する。この露出領域２４に、プレゼントを贈る相手へのメッセージとしての文字や図形等を予め印刷しておくことも可能である。この印刷シート包含体１０を送る相手が、例えば大学に合格した場合には、プレゼントを贈る相手へのメッセージとして、台紙１２の露出領域２４に、例えば「大学合格おめでとうございます」等の文字や図形や模様等のお祝いの言葉を印刷しておく。なお、メッセージに代えて広告等も入れることも可能である。
【００１６】
印刷シート基部１４には通常は片面（図１〜図３で表に見える表面）に図形や模様や文字等の印刷を施すが、裏側にも表側とは別の図形や模様や文字等の印刷を施すものであっても良い。裏側にも印刷を施す場合には、印刷外側部１８における印刷面２０ｂの適宜の箇所に、裏の図形や模様や文字等の印刷を縮小して表示する裏面縮小表示部２６を設ける。
【００１７】
印刷シート包含体１０は、そこから印刷シート１６を取り出すものである。印刷シート１６を剥がしてしまえば、その他は不要となるものである。図４に示すように、取り出した印刷シート１６の印刷面２０ａ（図３の印刷シート１６の表面）を、ケース３０の平面部３２（モバイル端末４０に対面する箇所）に接合させ、その後、ケース３０にモバイル端末４０を嵌合する。この結果、印刷シート１６は、ケース３０の平面部３２とモバイル端末４０とによって挟まれる。この印刷シート１６をケース３０とモバイル端末４０とで挟持する場合は、ケース３０は透明のものを使用し、印刷シート１６の印刷面２０ａを透明のケース３０の外部から見えるようにする。これによって、印刷シート１６の印刷面２０ａの図形や模様や文字等の印刷がモバイル端末４０に付されているように見える。
【００１８】
この印刷シート包含体１０は、プレゼントとしても利用できる。印刷シート包含体１０から印刷シート１６を剥がして取り出した時、台紙１２における露出領域２４に、プレゼントをした相手へのメッセージが現われると、プレゼントの価値が上がるものである。また、特定の企業の広告が現われる場合には、広告媒体としての価値も認められる。
【００１９】
図形や模様や文字等の印刷を施した印刷シート１６を多数所有している場合には、図形や模様や文字等の印刷が飽きて代えたいと思ったときには、ケース３０とモバイル端末４０との嵌合を外して、今まで使用してきた印刷シート１６を別の印刷シート１６に代えて、その後、ケース３０とモバイル端末４０とを再び嵌合させる。また、印刷シート１６の両面に印刷が施してある場合には、表裏を入れ替えることも可能である。これによって、モバイル端末４０の図形や模様や文字等をいつでも任意に変えることが可能になる。印刷シート１６は安価であるため、安価な金額で、図形や模様や文字等の印刷を交換することができる。
【００２０】
印刷シート基部１４の印刷面２０は、印刷シート１６の面積の全域を含んで印刷シート１６より広い面積とする。これによって、印刷の際に発生する縁の余白２２（図１、図２及び図３）を、印刷シート１６ではなく印刷外側部１８に形成させることができる。この結果、印刷シート１６には余白がなく、印刷シート１６の全面積に印刷を施すことが可能となる。
【００２１】
印刷シート包含体１０（印刷シート１６）への印刷は、１枚からデザインをシステムで注文を受けて、例えば自分の写真等を印刷して、オンデマンド印刷を行ない、お客様に届けることも可能である。インターネットで発注や受注をすることも可能である。これによって、自分の好きな図形や模様や文字等を印刷シート１６に印刷することができ、オリジナルの印刷をモバイル端末４０に取り付けた状態にすることが可能になる。この印刷シート包含体１０の大きさを最小はがき大（所定の印刷の大きさ）とすれば、印刷会社に依頼してプリンタに通して印刷することが可能である。はがき大だけではなく、例えばＡ４の大きさで、幾つかの印刷シート包含体１０を作ることも可能である。印刷は、レーザープリンターやインクジェットプリンタ等、どのような種類の印刷でも可能である
【００２２】
シートの片面に粘着剤を備えたものは、対象物に皺がよらずに貼り合わせるのは大変であり、かつ剥がすのが大変である。これに対して、本考案に係わる印刷シート包含体１０では、剥がした印刷シート１６は、粘着剤を用いずに、ケース３０とモバイル端末４０との間で挟持するので、ケース３０への着脱は容易であり、交換するのに手間がかからない。
【符号の説明】
【００２３】
１０  印刷シート包含体
１２  台紙
１４  印刷シート基部
１６  印刷シート
１８  印刷外側部
２０  印刷面
２０ａ  印刷面
２０ｂ  印刷面
２２  余白
２４  露出領域
２６  裏面縮小表示部
３０  ケース
３２  平面部
３４ａ  保持腕
３４ｂ  保持腕
４０  モバイル端末
【図１】
0003174044.tif 000003
【図２】
0003174044.tif 000004
【図３】
0003174044.tif 000005
【図４】
0003174044.tif 000006
【図５】
0003174044.tif 000007
【図６】
0003174044.tif 000008